(57)【要約】【課題】接続された他の電子機器を個別に操作する必要があり、操作が煩雑であり、操作性が悪いという課題があった。【解決手段】第一動作部１０１の処理する対象となるコンテンツのコンテンツ情報を取得する第一コンテンツ情報取得部１０２、およびこのコンテンツ情報を送信する第一コンテンツ情報送信部１０３を具備した第一の電子機器１００と、第一の電子機器１００から受信したコンテンツ情報に対応した動作指示情報を取得する第二動作指示情報取得部２０５、およびこの動作指示情報に基づいて第二動作部２０１を制御する第二制御部２０２を具備した。【選択図】図１
2006323461.tif 000002
【特許請求の範囲】
【請求項１】
第一の電子機器と第二の電子機器とを備えた電子機器システムであって、
前記第一の電子機器は、
コンテンツを処理する動作を行う第一動作部と、
前記第一動作部が処理するコンテンツに関する情報であるコンテンツ情報を取得する第一コンテンツ情報取得部と、
前記コンテンツ情報を前記第二の電子機器に送信する第一コンテンツ情報送信部とを具備し、
前記第二の電子機器は、
所定の動作を行う第二動作部と、
前記第一の電子機器からのコンテンツ情報を受信する第二コンテンツ情報受信部と、
前記コンテンツ情報に対応した、当該第二の電子機器に動作を指示するための情報である動作指示情報を取得する第二動作指示情報取得部と、
前記動作指示情報に基づいて前記第二動作部を制御する第二制御部とを具備する電子機器システム。
【請求項２】
前記第二の電子機器は、
１以上の前記動作指示情報が格納されている第二動作指示情報格納部をさらに備え、
前記第二動作指示情報取得部は、前記第二動作指示情報格納部から、前記コンテンツ情報に対応した動作指示情報を取得する請求項１記載の電子機器システム。
【請求項３】
第一の電子機器と第二の電子機器とを備えた電子機器システムであって、
前記第一の電子機器は、
コンテンツを処理する動作を行う第一動作部と、
前記第一動作部が処理するコンテンツに関する情報であるコンテンツ情報を取得する第一コンテンツ情報取得部と、
前記コンテンツ情報に対応した、前記第二の電子機器に動作を指示するための情報である動作指示情報を取得する第一動作指示情報取得部と、
前記動作指示情報を第二の電子機器に送信する第一動作指示情報送信部とを具備し、
第二の電子機器は、
所定の動作を行う第二動作部と、
前記第一の電子機器からの動作指示情報を受信する第二動作指示情報受信部と、
前記動作指示情報に基づいて前記第二動作部を制御する第二制御部とを具備する電子機器システム。
【請求項４】
前記第一の電子機器は、
前記第二の電子機器を動作させるための情報である操作情報が格納されている第一操作情報格納部をさらに備え、
前記第一動作指示情報取得部は、前記第一操作情報格納部に格納されている操作情報に基づいて、前記コンテンツ情報に対応した動作指示情報を取得する請求項４記載の電子機器システム。
【請求項５】
前記第二の電子機器は、
前記操作情報が格納されている第二操作情報格納部と、
前記操作情報を前記第一の電子機器に送信する第二操作情報送信部とをさらに備え、
前記第一の電子機器は、
前記第二の電子機器からの操作情報を受信する第一操作情報受信部を備え、
前記第一操作情報格納部には、第一操作情報受信部が受信した操作情報が格納されている請求項４記載の電子機器システム。
【請求項６】
前記操作情報は、前記動作指示情報を有している請求項４または請求項５いずれか記載の電子機器システム。
【請求項７】
前記操作情報は、前記動作指示情報に対応付けられた前記コンテンツ情報を有している請求項６記載の電子機器システム。
【請求項８】
前記コンテンツ情報は、コンテンツを分類した分類項目である請求項１から請求項７いずれか記載の電子機器システム。
【請求項９】
請求項１から請求項８いずれか記載の電子機器システムを構成する第一の電子機器。
【請求項１０】
請求項１から請求項８いずれか記載の電子機器システムを構成する第二の電子機器。
【請求項１１】
自機器が処理するコンテンツに応じて、他の電子機器の動作を制御する電子機器。
【請求項１２】
他の電子機器が処理するコンテンツに応じて、自機器の動作を制御する電子機器。
【請求項１３】
コンピュータに、
コンテンツを処理する第一動作ステップと、
前記第一動作ステップにより処理する対象となるコンテンツに関する情報であるコンテンツ情報を取得する第一動作情報取得ステップと、
前記コンテンツ情報を他の電子機器に送信する第一コンテンツ情報送信ステップとを実行させるためのプログラム。
【請求項１４】
コンピュータに、
他の電子機器が処理する対象となるコンテンツに関する情報であるコンテンツ情報を受信する第二動作関連情報受信ステップと、
前記コンテンツ情報に対応した、自機器に動作を指示するための情報である動作指示情報を取得する第二動作指示情報取得ステップと、
前記動作指示情報に基づいて所定の動作を行なうよう自機器を制御する第二制御ステップとを実行させるためのプログラム。
【請求項１５】
コンピュータに、
コンテンツを処理する第一動作ステップと、
前記第一動作ステップにより処理する対象となるコンテンツに関する情報であるコンテンツ情報を取得する第一動作情報取得ステップと、
前記コンテンツ情報に対応した、他の電子機器に動作を指示するための情報である動作指示情報を取得する第一動作指示情報取得ステップと、
前記動作指示情報を前記他の電子機器に送信する第一動作指示情報送信ステップとを実行させるためのプログラム。
【発明の詳細な説明】
【技術分野】
【０００１】
本発明は、ネットワーク等により接続された複数の電子機器を備えた電子機器システム等に関する。
【背景技術】
【０００２】
従来の電子機器システムとしては、１つの電子機器から、ネットワーク等で接続されている他の電子機器の動作を制御することができるものがある（例えば、特許文献１および特許文献２参照）。
【特許文献１】特開平０７−１７７５８６号公報（第１頁、第１図等）
【特許文献２】特開２００３−０２９８９５号公報（第１頁、第１図等）
【発明の開示】
【発明が解決しようとする課題】
【０００３】
しかしながら、従来の電子機器システムにおいては、１つの電子機器が処理を行うコンテンツの種類や属性値に応じて、他の電子機器の動作を制御することができなかった。このため、他の電子機器を個別に操作する必要があり、操作が煩雑であり、操作性が悪いという課題があった。
【課題を解決するための手段】
【０００４】
本発明に係る電子機器システムは、第一の電子機器と第二の電子機器とを備えた電子機器システムであって、前記第一の電子機器は、コンテンツを処理する動作を行う第一動作部と、前記第一動作部が処理するコンテンツに関する情報であるコンテンツ情報を取得する第一コンテンツ情報取得部と、前記コンテンツ情報を前記第二の電子機器に送信する第一コンテンツ情報送信部とを具備し、前記第二の電子機器は、所定の動作を行う第二動作部と、前記第一の電子機器からのコンテンツ情報を受信する第二コンテンツ情報受信部と、前記コンテンツ情報に対応した、当該第二の電子機器に動作を指示するための情報である動作指示情報を取得する第二動作指示情報取得部と、前記動作指示情報に基づいて前記第二動作部を制御する第二制御部とを具備する。
【０００５】
かかる構成により、ネットワーク等により接続されている複数の電子機器を、コンテンツに応じて制御することができ、操作性に優れた電子機器システムを提供することが可能となる。また、第一の電子機器に接続される電子機器が増えても、第一の電子機器における処理はほとんど変わらないため、第一の電子機器の処理に与える負荷を小さくすることができる。
【０００６】
また、本発明に係る電子機器システムは、第一の電子機器と第二の電子機器とを備えた電子機器システムであって、前記第一の電子機器は、コンテンツを処理する動作を行う第一動作部と、前記第一動作部が処理するコンテンツに関する情報であるコンテンツ情報を取得する第一コンテンツ情報取得部と、前記コンテンツ情報に対応した、前記第二の電子機器に動作を指示するための情報である動作指示情報を取得する第一動作指示情報取得部と、前記動作指示情報を第二の電子機器に送信する第一動作指示情報送信部とを具備し、第二の電子機器は、所定の動作を行う第二動作部と、前記第一の電子機器からの動作指示情報を受信する第二動作指示情報受信部と、前記動作指示情報に基づいて前記第二動作部を制御する第二制御部とを具備する。
【０００７】
かかる構成により、ネットワーク等により接続されている複数の電子機器を、コンテンツに応じて制御することができ、操作性に優れた電子機器システムを提供することが可能となる。また、第二の電子機器における処理を軽減させることができ、第二の電子機器が高性能なプロセッサ等を有する必要をなくすことができる。
【０００８】
また、前記電子機器システムにおいて、前記第一の電子機器は、前記第二の電子機器を動作させるための情報である操作情報が格納されている第一操作情報格納部をさらに備え、前記第一動作指示情報取得部は、前記第一操作情報格納部に格納されている操作情報に基づいて、前記コンテンツ情報に対応した動作指示情報を取得する。
【０００９】
かかる構成により、第二の電子機器の操作情報を第一の電子機器に与えるだけで、容易に、コンテンツに応じた第二の電子機器の制御が可能となる。
【００１０】
また、前記電子機器システムにおいて、前記第二の電子機器は、前記操作情報が格納されている第二操作情報格納部と、前記操作情報を前記第一の電子機器に送信する第二操作情報送信部とをさらに備え、前記第一の電子機器は、前記第二の電子機器からの操作情報を受信する第一操作情報受信部を備え、前記第一操作情報格納部には、第一操作情報受信部が受信した操作情報が格納されている。
【００１１】
かかる構成により、あらかじめ第一の電子機器に、第二の電子機器の操作情報を蓄積しておく必要がなく、どのような第二の電子機器に対しても、コンテンツに応じた第二の電子機器の制御が可能となる。
【発明の効果】
【００１２】
本発明による電子機器システムによれば、ネットワーク等により接続されている複数の電子機器を、コンテンツに応じて制御することができ、操作性に優れた電子機器システムを提供することが可能となる。
【発明を実施するための最良の形態】
【００１３】
以下、電子機器システム等の実施形態について図面を参照して説明する。なお、実施の形態において同じ符号を付した構成要素およびステップは同様の動作を行うので、再度の説明を省略する場合がある。
【００１４】
（実施の形態１）
図１は、本実施の形態に係る電子機器システムの構成を示すブロック図である。本実施の形態に係る電子機器システムは、第一の電子機器１００と、第二の電子機器２００とを備えている。第一の電子機器１００と第二の電子機器２００とは、ネットワーク３００等を介して接続されている。
【００１５】
第一の電子機器１００は、第一動作部１０１と、第一コンテンツ情報取得部１０２と、第一コンテンツ情報送信部１０３とを備えている。
【００１６】
第二の電子機器２００は、第二動作部２０１と、第二制御部２０２と、第二コンテンツ情報受信部２０３と、第二動作指示情報格納部２０４と、第二動作指示情報取得部２０５とを備えている。
【００１７】
第一の電子機器１００は、ネットワーク等を介して他の機器と接続可能な電子機器であって、コンテンツを取り扱う電子機器であればどのような電子機器でもよい。コンテンツとは、映画、音楽、写真、漫画、アニメーション、コンピュータゲーム、その他の文字、図形、色彩、音声、動作もしくは映像もしくはこれらを組み合わせたもの、または、これらの情報をコンピュータ等を介して提供するためのプログラム等である。第１の電子機器１００は、例えば、テレビや、ＤＶＤプレーヤー、ＤＶＤレコーダー、ハードディスクレコーダー、ビデオテープレコーダー、ＣＤプレーヤー、チューナー、カセットテープレコーダー等のＡＶ機器であってもよい。また、電子ブックプレーヤー等であってもよい。また、広告やチラシ等を表示パネル等から出力する冷蔵庫であってもよい。なお、第一の電子機器１００がコンテンツを処理するための構成や、動作については、公知技術であるので説明は省略する。
【００１８】
第一動作部１０１は、コンテンツを処理する動作を行う。第一動作部１０１は、通常は他の制御部等からの制御信号等に基づいて所定の動作を行なう。コンテンツを処理する動作とは、具体的には、コンテンツを再生したり、録画したり、録音したりする処理や、処理対象となるコンテンツを受け付けたことを認識したり、コンテンツに含まれるデータを読み出したり、コンテンツに含まれるデータを、デコードしたりエンコードしたりすることにより変換したり、コンテンツに含まれるプログラムを実行したり、コンテンツに含まれるデータに演算を行ったりする処理等である。例えば、第一の電子機器１００が、ハードディスクレコーダー等であれば、ニュース番組やドラマ等の番組の映像や音声の情報を受信し、これらをエンコードして記録する動作等であり、第一の電子機器１００がＤＶＤプレーヤーであれば、音楽コンテンツや、映画コンテンツ等をＤＶＤディスクから読み出して出力する動作等である。第一動作部１０１は、例えば、ＭＰＵやメモリ等で実現され得る。第一動作部１０１の動作は、例えば、ソフトウェアで実現され、当該ソフトウェアはＲＯＭ等の記録媒体に記録されている。但し、専用回路等のハードウェアで実現しても良い。
【００１９】
第一コンテンツ情報取得部１０２は、第一動作部１０１が処理を行う対象となるコンテンツに関する情報であるコンテンツ情報を取得する。コンテンツ情報は、例えば、コンテンツを識別するための識別情報であってもよい。また、コンテンツ情報は、コンテンツのタイトル名であってもよい。また、コンテンツ情報は、コンテンツのジャンル等、コンテンツを所定の分類により分類した場合の分類項目の項目名や項目のコードであってもよい。また、コンテンツ情報は、コンテンツの著作権情報等であってもよい。また、コンテンツ情報は、コンテンツが提供されるメディアの種類等の情報であってもよい。また、コンテンツ情報は、これらの組み合わせであってもよい。コンテンツの分類とは、たとえば、音楽の鑑賞を主目的とした「音楽コンテンツ」や、映像の鑑賞を主目的とした「映像コンテンツ」といった分類であってもよいし、映像の質に着目した「高画質」、「通常画質」、「低画質」といった分類であってもよい。また、映像の内容に基づいた、「映画」、「ニュース」、「ドラマ」、「スポーツ」等の分類であってもよい。また、「二か国語」、「字幕付き」といった、コンテンツの持つオプションの情報に基づいた分類であってもよい。このコンテンツ情報は、コンテンツに予め付加しておいて、必要に応じて読み出すようにしてもよい。また、テレビ番組などでは、いわゆる電子番組表を利用して、現在表示したり録画したりしている番組についてのコンテンツ情報を取得してもよい。また、予めコンテンツ情報と、コンテンツの名前や、コンテンツの再生時間、コンテンツの識別情報とを関連づけて第一の電子機器１００の内部や、外部のデータベースに格納しておくようにし、コンテンツに予め付加されているコンテンツ名や、コンテンツの再生時間、コンテンツの識別情報等を用いて、このデータベースからコンテンツに関する情報を検索して、取得するようにしてもよい。このような、コンテンツに対応したコンテンツ情報を取得する技術は、いわゆるＣＤＤＢ等に用いられている公知技術や、コンテンツに著作権管理情報等のコンテンツを管理する情報を埋め込む公知技術等を用いることにより実現可能である。第一コンテンツ情報取得部１０２がコンテンツ情報をどのように取得するかは問わない。第一コンテンツ情報取得部１０２は、第一動作部１０１がコンテンツから取得したコンテンツ情報を、第一動作部１０１から、直接、あるいは間接的に取得してもよいし、第一コンテンツ情報取得部１０２がコンテンツ情報を読み出す等により、コンテンツから直接コンテンツ情報を取得するようにしてもよい。コンテンツ情報のデータ構造は問わない。なお、本実施の形態においては、第一コンテンツ情報取得部１０２が、第一動作部１０１からコンテンツ情報を取得する場合について説明する。第一コンテンツ情報取得部１０２は、ＭＰＵやメモリ等から実現され得る。第一コンテンツ情報取得部１０２がコンテンツ情報を取得する処理手順は、例えば、ソフトウェアにより実現され、当該ソフトウェアはＲＯＭ等の記録媒体に記録されている。但し、専用回路等のハードウェアで実現しても良い。
【００２０】
第一コンテンツ情報送信部１０３は、第一コンテンツ情報取得部１０２が取得したコンテンツ情報を、第二の電子機器２００に送信する。第一コンテンツ情報送信部１０３は、モデムやネットワークカードなどの送信を行うための送信デバイスを含んでもよく、あるいは含まなくてもよい。また、第一コンテンツ情報送信部１０３は、ハードウェアによって実現されてもよく、あるいは送信デバイスを駆動するドライバ等のソフトウェアによって実現されてもよい。送信は、ＬＡＮ等の通信手段、赤外線による通信、ブルートゥース（登録商標）等の近距離無線通信手段、或いは電子メール送信手段等により実現される。また、第一コンテンツ情報送信部１０３は、無線または有線の放送手段により実現されてもよい。
【００２１】
第二の電子機器２００は、ネットワーク等を介して他の機器と接続可能な電子機器であれば、どのような電子機器であっても良い。例えば、テレビや、ＤＶＤプレーヤー、ＤＶＤレコーダー、ハードディスクレコーダー、ビデオテープレコーダー、ＣＤプレーヤー、チューナー、カセットテープレコーダー、アンプ、サラウンドシステム等のＡＶ機器であってもよく、また、冷蔵庫や、洗濯機、エアコン、照明器具等の家電や、給湯システム等の設備機器であってもよい。
【００２２】
第二動作部２０１は、第二制御部２０２からの制御信号に基づいて、所定の動作を行う。所定の動作とは、どのような動作であってもよい。例えば、第二の電子機器２００が、テレビであれば、電波を受信し、映像を表示する動作等であり、第二の電子機器２００がＤＶＤプレーヤーであれば、ＤＶＤディスクから映像信号および音声信号を読み出して出力する動作等である。第二動作部２０１は、例えば、ＭＰＵやメモリ等で実現され得る。第二動作部２０１の動作は、例えば、ソフトウェアで実現され、当該ソフトウェアはＲＯＭ等の記録媒体に記録されている。但し、専用回路等のハードウェアで実現しても良い。
【００２３】
第二コンテンツ情報受信部２０３は、第一の電子機器１００からネットワーク３００等を介して送信されたコンテンツ情報を受信する。第二コンテンツ情報受信部２０３は、モデムやネットワーク等の受信を行うための受信デバイスを含んでもよく、あるいは含まなくてもよい。また、第二コンテンツ情報受信部２０３は、ハードウェアによって実現されてもよく、あるいは受信デバイスを駆動するドライバ等のソフトウェアによって実現されてもよい。第二コンテンツ情報受信部２０３は、ＬＡＮ等の通信手段、赤外線による通信、ブルートゥース（登録商標）等の近距離無線通信手段、或いは電子メール送信手段等により実現される。また、第二コンテンツ情報受信部２０３は、無線または有線の放送手段により実現されてもよい。
【００２４】
第二動作指示情報格納部２０４には、第二の電子機器２００を動作させるための指示である動作指示情報が一以上格納されている。動作指示情報は、具体的には、第二動作部２０１に特定の動作を指示する情報であれば、どのような情報であるかは問わない。例えば、第二動作部２０１に所定のアクションを実行させるコマンドやイベント情報等であってもよいし、第二動作部２０１に実行させるアクションを指定するための識別情報等であってもよい。動作指示情報のデータ構造は問わない。ここでの「格納」とは、例えば、受信部等が受信したデータを一時的に保持する場合や、データ処理時に、キャッシュ等にデータを一時的に保持する場合等の、一時的な格納も含む。第二動作指示情報格納部２０４は、ＲＯＭや光ディスク等の不揮発性の記録媒体が好適であるが、揮発性の記録媒体でも実現可能である。
【００２５】
第二動作指示情報取得部２０５は、第二コンテンツ情報受信部２０３が受信したコンテンツ情報に対応した動作指示情報を取得する。第二動作指示情報取得部２０５がどのようにコンテンツ情報に対応した動作指示情報を取得するかは問わない。例えば、第二動作指示情報格納部２０４にコンテンツ情報に対応した動作指示情報が格納されていれば、この動作指示情報を取得してもよいし、コンテンツ情報に動作指示情報が含まれているようにして、受信したコンテンツ情報から動作指示情報を取得してもよい。ここでは、一例として、メモリ等の記録媒体や、第二動作指示情報格納部２０４等に、コンテンツ情報と、第二動作指示情報格納部２０４に格納されている動作指示情報との対応関係を示すテーブル等のデータをあらかじめ用意しておき、このデータから、第二コンテンツ情報受信部２０３が受信したコンテンツ情報に合致するコンテンツ情報を検索し、合致したコンテンツ情報に対応づけられた動作指示情報を、第二動作指示情報格納部２０４から取得する場合について説明する。第二動作指示情報取得部２０５がコンテンツ情報に対応した動作指示情報を取得する処理の具体例については後述する。第二動作指示情報取得部２０５は、ＭＰＵやメモリ等から実現され得る。第二動作指示情報取得部２０５が動作指示情報を取得する処理手順は、例えば、ソフトウェアにより実現され、当該ソフトウェアはＲＯＭ等の記録媒体に記録されている。但し、専用回路等のハードウェアで実現しても良い。
【００２６】
ネットワーク３００は、第一の電子機器１００と第二の電子機器２００との間での、データの送受信を可能とするものであれば、どのようなネットワークであっても良い。ネットワーク３００は、例えば、ＩＰプロトコル等を用いた無線または有線のネットワークであってもよい。また、このネットワークにおける通信を、地上波放送、ケーブルテレビ放送、衛星放送等により実現しても良い。また、第一の電子機器１００と第二の電子機器２００との間でデータの通信が可能であれば、両者をネットワークで接続する代わりに、ＩＥＥＥ１３９４やＵＳＢといったシリアルバス等を用いて接続してもよい。
【００２７】
つぎに、本実施の形態に係る電子機器システムの第一の電子機器１００の動作について、図２のフローチャートを用いて説明する。なお、ここでは説明を省略するが、第一の電子機器１００の第一動作部１０１において行われる、コンテンツの再生や、コンテンツを認識したりする等の、コンテンツを処理する動作については、本フローチャートに示した処理とは別に、例えば並列して行われ、コンテンツが予め指定されたところまで再生された場合や、コンテンツの処理を停止するコマンドや、電源オフや処理終了の割り込みにより、終了するものとする。
【００２８】
（ステップＳ２０１）第一コンテンツ情報取得部１０２は、第一動作部１０１がコンテンツを処理する動作を開始したか否かを判定する。動作を開始した場合、ステップＳ２０２へ進み、開始していない場合、ステップＳ２０１へ戻る。なお、ここで判定する動作は、コンテンツを再生する処理等、どのような動作であってもよい。また、コンテンツの処理の開始を判定する代わりに、第１の電子機器１００に、コンテンツを処理する動作を行う指示が与えられたか否かを判定したり、コンテンツを処理する動作を行わせるためのイベントが発生したか否かを判定するようにしてもよい。また、コンテンツを処理する動作を終了したか否か等の、開始以外の処理の状況を判定するようにしてもよい。
【００２９】
（ステップＳ２０２）第一コンテンツ情報取得部１０２は、第一動作部１０１が処理するコンテンツのコンテンツ情報を、第一動作部１０１から取得する。例えば、第一動作部１０１が読み出したコンテンツのデータに含まれるコンテンツ情報を取得する。なお、ステップＳ２０１とステップＳ２０２の処理順序は問わない。
【００３０】
（ステップＳ２０３）第一コンテンツ情報送信部１０３は、第一コンテンツ情報取得部１０２が取得したコンテンツ情報を第二の電子機器２００に送信する。なお、この送信は、送信相手を第二の電子機器２００に特定した一対一の送信であってもよいし、一対多のマルチキャストの送信であってもよいし、送信相手を特定しないブロードキャストによる送信であってもよい。そして、ステップＳ２０１へ戻る。
【００３１】
なお、図２のフローチャートにおいて、電源オフや処理終了の割り込みにより、処理は終了する。
【００３２】
次に、本実施の形態に係る電子機器システムの第二の電子機器２００の動作について、図３のフローチャートを用いて説明する。
【００３３】
（ステップＳ３０１）第二コンテンツ情報受信部２０３が、第一の電子機器１００からのコンテンツ情報を受信したか否かを判定する。受信した場合、ステップＳ３０２へ進み、受信していない場合、ステップＳ３０１に戻る。
【００３４】
（ステップＳ３０２）第二動作指示情報取得部２０５は、第二動作指示情報格納部２０４から、ステップＳ３０１において受信したコンテンツ情報に対応した動作指示情報を取得する。なお、この処理の具体例については、図４において詳細に説明する。
【００３５】
（ステップＳ３０３）第二動作指示情報取得部２０５が動作指示情報を取得したか否かを判定する。取得した場合、ステップＳ３０４へ進み、取得していない場合、ステップＳ３０１へ戻る。
【００３６】
（ステップＳ３０４）第二制御部２０２は、ステップＳ３０３において取得した動作指示情報に基づいて、第二動作部２０１の動作を制御する。
【００３７】
（ステップＳ３０５）第二動作部２０１は、所定の動作を行う。そして、ステップＳ３０１へ戻る。なお、図３のフローチャートにおいて、電源オフや処理終了の割り込みにより、処理は終了する。
【００３８】
次に、図３のステップＳ３０２において説明した、コンテンツ情報に応じた動作指示情報を取得する処理の詳細について、図４のフローチャートを用いて説明する。
【００３９】
（ステップＳ４０１）第二動作指示情報取得部２０５は、ステップＳ３０１において受信したコンテンツ情報を、第二コンテンツ情報受信部２０３から取得する。
【００４０】
（ステップＳ４０２）第二動作指示情報取得部２０５は、ステップＳ４０１において取得したコンテンツ情報と合致するコンテンツ情報がメモリ等に格納されているか否かを判定する。格納されている場合、ステップＳ４０３へ進み、格納されていない場合、ステップＳ４０４へ進む。
【００４１】
（ステップＳ４０３）第二動作指示情報取得部２０５は、ステップＳ４０１において取得したコンテンツ情報に合致するコンテンツ情報と対応づけられた動作指示情報を第二動作指示情報格納部２０４から取得する。そして取得した動作指示情報を上位関数にリターンする。
【００４２】
（ステップＳ４０４）第二動作指示情報取得部２０５は、コンテンツ情報に対応した動作指示情報がないことを示す値、たとえば「−１」等を、メモリ等から取得し、上位関数にリターンする。
【００４３】
つぎに具体例について説明する。図５は、本実施の形態に係る電子機器システムの具体例を説明するための概念図である。この具体例においては、第一の電子機器１００が映像音声情報を記録再生可能なＤＶＤレコーダー、第二の電子機器２００が、明るさを「明るい」と「暗い」の２段階に調整可能な照明器具であり、第一の電子機器１００と第二の電子機器２００とが、インターネットプロトコルを利用した無線のネットワーク３００で接続されているものとする。また、第一の電子機器１００の出力は、外部のディスプレイ４００に接続されており、映像等がこのディスプレイに表示されるものとする。
【００４４】
なお、この具体例においては、コンテンツ情報としては、音楽の鑑賞を目的としたコンテンツであることを示す「音楽」、映画のコンテンツであることを示す「映画」、スポーツのコンテンツであることを示す「スポーツ」、アニメーションのコンテンツである「アニメーション」等があるものとする。また、このコンテンツ情報は、ＤＶＤのディスクにＤＶＤレコーダーによって読み出し可能な状態で記録されているものとする。
【００４５】
図６は、第二の電子機器２００の第二動作指示情報格納部２０４に格納されている動作指示情報管理表を示す図である。この動作指示情報管理表は、「動作ＩＤ」と、「動作指示情報」という属性を有している。「動作ＩＤ」は動作指示情報を管理するための識別情報である。「動作指示情報」は、上述したような第二動作部２０１に動作を指示する情報である動作指示情報であり、ここでは、例として、第二動作部２０１に所定の動作を行わせるためのコマンドであるとする。このコマンドとしては、照明をオフにする「ｌｉｇｈｔ＿ＯＦＦ」というコマンド、明るさを「明るい」とする「ｌｉｇｈｔ＿ＨＩＧＨ」というコマンド、明るさを「暗い」とする「ｌｉｇｈｔ＿ＬＯＷ」というコマンド等があるものとする。
【００４６】
図７は、第二の電子機器２００のメモリ等に格納されている、コンテンツ情報と動作指示情報との対応を管理するためのコンテンツ情報管理表である。このコンテンツ情報管理表は、「コンテンツ情報」と、「動作ＩＤ」という属性を有している。「コンテンツ情報」は、第二コンテンツ情報受信部２０３が受信するコンテンツ情報に相当する情報である。また、「動作ＩＤ」は、図６に示した「動作ＩＤ」に相当する情報である。なお、コンテンツ情報管理表は第二動作指示情報格納部２０４に蓄積しておくようにしてもよい。また、図６に示した動作指示情報管理表と、図７に示したコンテンツ情報管理表とを１つの管理表で構成してもよい。また、これらの管理表の代わりに、同様の属性や属性値を有するＸＭＬ等のファイルを利用するようにしてもよい。
【００４７】
まず、ユーザが、第一の電子機器１００に、映画を収録したＤＶＤディスクを挿入する。このＤＶＤディスクの所定の領域には、「映画」というコンテンツ情報が格納されているものとする。そして、ユーザが、リモートコントロール装置等を操作して、「再生」というメニュー項目を選択すると、まず、第一動作部１０１が、ＤＶＤディスクの「映画」というコンテンツ情報を読み出す。そして、この読み出された「映画」というコンテンツ情報を、第一コンテンツ情報取得部１０２が取得する。この取得したコンテンツ情報を、第一コンテンツ情報送信部１０３がネットワーク３００上のすべての電子機器に対して送信する。
【００４８】
第二の電子機器２００の第二コンテンツ情報受信部２０３が、「映画」というコンテンツ情報を受信すると、第二動作指示情報取得部２０５は、図７に示したコンテンツ情報管理表において、「コンテンツ情報」の属性値の中から、「映画」という属性値に合致するものを検索する。そして合致するものがある場合、その属性値と同じレコードの「動作ＩＤ」の属性値を取得する。ここでは、「映画」に合致するものがあるので、その「映画」という属性値と同じレコードの「００１」という「動作ＩＤ」の属性値を取得する。
【００４９】
次に、第二の電子機器２００は、図６に示した動作指示情報管理表から、「動作ＩＤ」が「００１」であるレコードの動作指示情報として、「ｌｉｇｈｔ＿ＯＦＦ」を取得する。そして、第二制御部２０２が、第二動作指示情報取得部２０５の取得した「ｌｉｇｈｔ＿ＯＦＦ」という動作指示情報に基づいて、第二動作部２０１を制御する。この結果、第二の電子機器２００において、照明をオフにする動作が行われる。
【００５０】
このように、映画のコンテンツを見る場合には、部屋の照明が自動的にオフとなり、ユーザは、映画館で映画を見るような雰囲気を味わうことができる。
【００５１】
つぎに、ユーザが、第一の電子機器１００に、サッカーの試合を収録したＤＶＤディスクを挿入する。このＤＶＤディスクの所定の領域には、「スポーツ」というコンテンツ情報が格納されているものとする。そして、ユーザが、リモートコントロール装置等を操作して、「再生」というメニュー項目を選択すると、まず、第一動作部１０１が、ＤＶＤディスクの「スポーツ」というコンテンツ情報を読み出す。そして、この読み出された「スポーツ」というコンテンツ情報を、第一コンテンツ情報取得部１０２が取得し、この取得したコンテンツ情報を、第一コンテンツ情報送信部１０３がネットワーク３００上のすべての電子機器に対して送信する。
【００５２】
第二の電子機器２００の第二コンテンツ情報受信部２０３が、「スポーツ」というコンテンツ情報を受信すると、第二動作指示情報取得部２０５は、図７に示したコンテンツ情報管理表から、「スポーツ」という「コンテンツ情報」を含むレコードの「動作ＩＤ」の属性値である「００２」を取得する。
【００５３】
次に、第二の電子機器２００は、図６に示した動作指示情報管理表から、「動作ＩＤ」が「００２」であるレコードの動作指示情報として、「ｌｉｇｈｔ＿ＨＩＧＨ」を取得する。そして、第二制御部２０２が、第二動作指示情報取得部２０５の取得した「ｌｉｇｈｔ＿ＨＩＧＨ」という動作指示情報に基づいて、第二動作部２０１を制御する。この結果、第二の電子機器２００において、照明の明るさを最大の明るさにする動作が行われる。
【００５４】
このように、スポーツのコンテンツを見る場合には、部屋の照明が自動的に最大の明るさとなり、ユーザは、明るい雰囲気のなかで、スポーツ観戦を楽しむことができる。
【００５５】
以上、本実施の形態によれば、第一の電子機器１００の処理するコンテンツに応じて、第二の電子機器２００の動作を制御することが可能となる。これにより、ユーザが個々の電子機器を個別に操作しなくても、第一の電子機器１００にコンテンツの処理を行わせるだけで、個々の電子機器に、第一の電子機器１００の処理するコンテンツに最適な動作を行わせることができ、操作性を向上させることが可能となる。この結果、コンテンツを視聴したりする場合に、コンテンツに応じた最適な環境をユーザに提供することが可能となる。
【００５６】
なお、本実施の形態においては、第一の電子機器１００の処理するコンテンツに応じて第二の電子機器２００を動作させる場合について説明したが、本発明は、例えば、第二動作部の動作の異なる複数の第二の電子機器や、第二動作部の動作が同じである複数の第二の電子機器を、第一の電子機器に接続した場合においても適用できるものである。例えば、前記具体例において、第二の電子機器として、照明器具に加えて、さらにサラウンドシステムを設けるようにし、このサラウンドシステムにおいては、第一の電子機器１００から受信したコンテンツ情報に基づいて、音声出力のモードを変更する動作指示情報を取得するようにする。例えば、コンテンツ情報が「映画」であれば、映画向けのサラウンド設定に切り換える動作指示情報を取得し、コンテンツ情報が「音楽」であれば、音楽向けのサラウンド設定に切り換える動作指示情報を取得するようにする。そして、この動作指示情報により、音声出力のモードを切り換えてサラウンドシステムを動作させることで、第一の電子機器１００の処理するコンテンツに応じて、照明を変更できるとともに、音声のサラウンド出力の設定も変更することが可能となる。かかることは、他の実施の形態においても同様である。
【００５７】
また、前記実施の形態１の電子機器システムにおいて、第二動作指示情報格納部２０４の代わりに、本実施の形態において説明した第二操作情報格納部６０１を設けるようにし、第二動作指示情報取得部２０５が、本実施の形態の第一動作指示情報取得部５０１と同様に、第二操作情報格納部６０１に格納されている操作情報から、第二コンテンツ情報に対応した動作指示情報を取得するようにしてもよい。
【００５８】
なお、前記実施の形態における電子機器システムの第一の電子機器を実現するソフトウェアは、以下のようなプログラムである。つまり、このプログラムは、コンピュータに、コンテンツを処理する第一動作ステップと、前記第一動作ステップにより処理する対象となるコンテンツに関する情報であるコンテンツ情報を取得する第一動作情報取得ステップと、前記コンテンツ情報を他の電子機器に送信する第一コンテンツ情報送信ステップとを実行させるためのプログラムである。
【００５９】
また、前記実施の形態における電子機器システムの第二の電子機器を実現するソフトウェアは、以下のようなプログラムである。つまり、このプログラムは、コンピュータに、他の電子機器が処理する対象となるコンテンツに関する情報であるコンテンツ情報を受信する第二動作関連情報受信ステップと、前記コンテンツ情報に対応した、自機器に動作を指示するための情報である動作指示情報を取得する第二動作指示情報取得ステップと、前記動作指示情報に基づいて所定の動作を行なうよう自機器を制御する第二制御ステップとを実行させるためのプログラムである。
【００６０】
（実施の形態２）
図８は、本発明の実施の形態２に係る電子機器システムの構成を示すブロック図である。本実施の形態に係る電子機器システムは、前記実施の形態１に係る電子機器システムにおいて、第一の電子機器が処理するコンテンツに応じた動作指示情報を、第一の電子機器が第二の電子機器に送信するようにしたものである。
【００６１】
本実施の形態に係る電子機器システムは、第一の電子機器５００と、第二の電子機器６００とを備えている。第一の電子機器５００と第二の電子機器６００とは、ネットワーク３００等を介して接続されている。
【００６２】
ネットワーク３００の構成については、前記実施の形態１と同様であるので、説明は省略する。
【００６３】
第一の電子機器５００は、前記実施の形態において図１を用いて説明した第一の電子機器１００において、第一コンテンツ情報送信部１０３を設けず、第一動作指示情報取得部５０１と、第一動作指示情報送信部５０２と、第一操作情報受信部５０３と、第一操作情報格納部５０４とを設けるようにしたものである。なお、前記実施の形態の第一の電子機器１００と同様の構成については説明を省略する。
【００６４】
第二の電子機器６００は、前記実施の形態において図１を用いて説明した第二の電子機器２００において、第二コンテンツ情報受信部２０３と、第二動作指示情報格納部２０４と、第二動作指示情報取得部２０５とを設けずに、第二操作情報格納部６０１と、第二操作情報送信部６０２と、第二動作指示情報受信部６０３とを設けるようにしたものである。なお、前記実施の形態の第二の電子機器２００と同様の構成については説明を省略する。
【００６５】
第一操作情報格納部５０４には、第二の電子機器６００を動作させるための情報である操作情報が一以上格納されている。操作情報がどのような情報であるかは問わない。具体的には、操作情報は、第一コンテンツ情報取得部１０２が取得したコンテンツ情報に基づいた動作指示情報が取得できる情報であれば、どのような情報であってもよい。例えば、操作情報は、前記実施の形態１において説明した動作指示情報と、この動作指示情報と第一コンテンツ情報取得部１０２が取得したコンテンツ情報との関係を示すことのできる情報とを有していてもよい。また、操作情報は、第二の電子機器６００のアドレス等を識別するための情報、例えば、第二の電子機器６００のネットワーク上のアドレス情報や、第二の電子機器６００の識別情報等を有していてもよい。操作情報のデータ構造は問わない。また、操作情報は、例えば、ＸＭＬ形式のデータであってもよいし、表形式のデータであってもよく、そのデータの形式は問わない。本実施の形態においては、操作情報が、動作指示情報と、この動作指示情報に関連づけられたコンテンツ情報とを有している場合について説明する。ここでの「格納」とは、例えば、受信部等が受信したデータを一時的に保持する場合や、データ処理時に、キャッシュ等にデータを一時的に保持する場合等の、一時的な格納も含む。第一操作情報格納部５０４には、操作情報が予め格納されていてもよいし、他の機器等から送信された操作情報が蓄積されるようにしてもよい。第一操作情報格納部５０４は、データの書き換えが可能なＲＯＭや光ディスク等の不揮発性の記録媒体が好適であるが、揮発性の記録媒体でも実現可能である。また、操作情報の書き換えが不要であればＲＯＭ等の書き換えができない記録媒体を用いるようにしてもよい。
【００６６】
第一操作情報受信部５０３は、第二の電子機器６００から送信された操作情報を受信する。そして、受信した操作情報を、第一操作情報格納部５０４に蓄積する。第一操作情報受信部５０３は、さらに、第二の電子機器６００のアドレス等を識別するための情報、例えば、第二の電子機器６００のネットワーク上のアドレス情報や、第二の電子機器６００の識別情報等を受信し、これらをメモリ等に蓄積するようにしてもよい。第一操作情報受信部５０３は、モデムやネットワーク等の受信を行うための受信デバイスを含んでもよく、あるいは含まなくてもよい。また、第一操作情報受信部５０３は、ハードウェアによって実現されてもよく、あるいは受信デバイスを駆動するドライバ等のソフトウェアによって実現されてもよい。第一操作情報受信部５０３は、ＬＡＮ等の通信手段、赤外線による通信、ブルートゥース（登録商標）等の近距離無線通信手段、或いは電子メール送信手段等により実現される。また、第一操作情報受信部５０３は、無線または有線の放送手段により実現されてもよい。
【００６７】
第一動作指示情報取得部５０１は、第一コンテンツ情報取得部１０２が受信したコンテンツ情報に対応した動作指示情報を取得する。第一動作指示情報取得部５０１がどのようにコンテンツ情報に対応した動作指示情報を取得するかは問わない。例えば、メモリ等の記録媒体にコンテンツ情報に対応した動作指示情報が格納されていれば、第一動作指示情報取得部５０１が、これを取得してもよいし、コンテンツ情報に動作指示情報が含まれていれば、これを取得してもよい。ここでは、一例として、第一動作指示情報取得部５０１が、第一操作情報格納部５０４に格納されている操作情報に基づいて、動作指示情報を取得する場合について説明する。具体的には、操作情報が、コンテンツ情報と、このコンテンツ情報に対応づけられた動作指示情報とを有しているようにし、この操作情報から、第一コンテンツ情報取得部１０２が受信したコンテンツ情報に合致するコンテンツ情報を含む操作情報を検索し、合致したコンテンツ情報を含む操作情報から、動作指示情報を取得する場合について説明する。第一動作指示情報取得部５０１は、ＭＰＵやメモリ等から実現され得る。第一動作指示情報取得部５０１が動作指示情報を取得する処理手順は、例えば、ソフトウェアにより実現され、当該ソフトウェアはＲＯＭ等の記録媒体に記録されている。但し、専用回路等のハードウェアで実現しても良い。
【００６８】
第一動作指示情報送信部５０２は、第一動作指示情報取得部５０１が取得した動作指示情報を、第二の電子機器６００に送信する。第一動作指示情報送信部５０２は、モデムやネットワークカードなどの送信を行うための送信デバイスを含んでもよく、あるいは含まなくてもよい。また、第一動作指示情報送信部５０２は、ハードウェアによって実現されてもよく、あるいは送信デバイスを駆動するドライバ等のソフトウェアによって実現されてもよい。送信は、ＬＡＮ等の通信手段、赤外線による通信、ブルートゥース（登録商標）等の近距離無線通信手段、或いは電子メール送信手段等により実現される。また、第一動作指示情報送信部５０２は、無線または有線の放送手段により実現されてもよい。
【００６９】
第二操作情報格納部６０１には、上述した操作情報が一以上格納されている。ここでの「格納」とは、例えば、受信部等が受信したデータを一時的に保持する場合や、データ処理時に、キャッシュ等にデータを一時的に保持する場合等の、一時的な格納も含む。第二操作情報格納部６０１は、データの書き換えが可能なＲＯＭや光ディスク等の不揮発性の記録媒体が好適であるが、揮発性の記録媒体でも実現可能である。また、操作情報の書き換えが不要であればＲＯＭ等の書き換えができない記録媒体を用いるようにしてもよい。
【００７０】
第二操作情報送信部６０２は、第二操作情報格納部６０１に格納されている操作情報を、第一の電子機器５００に対して送信する。第二操作情報送信部６０２が操作情報を送信するトリガーやタイミングは問わない。例えば、第二操作情報送信部６０２は、第一の電子機器５００と第二の電子機器６００とが接続された直後や、第二の電子機器６００に電源が投入された直後など、第一の電子機器５００と第二の電子機器６００との接続を認識した場合に操作情報を送信しても良い。なお、ここでは、直後とは、接続を認識した時点から多少の遅延を有する場合も含む。また、操作情報を定期的、あるいは不定期に送信してもよい。なお、本実施の形態においては、第一の電子機器５００と第二の電子機器６００とが接続された場合に操作情報を送信するものを例として説明する。第二操作情報送信部６０２は、モデムやネットワーク等の送信を行うための送信デバイスを含んでもよく、あるいは含まなくてもよい。また、第二操作情報送信部６０２は、ハードウェアによって実現されてもよく、あるいは送信デバイスを駆動するドライバ等のソフトウェアによって実現されてもよい。第二操作情報送信部６０２は、ＬＡＮ等の通信手段、赤外線による通信、ブルートゥース（登録商標）等の近距離無線通信手段、或いは電子メール送信手段等により実現される。また、無線または有線の放送手段により実現してもよい。
【００７１】
第二動作指示情報受信部６０３は、動作指示情報を、第一の電子機器５００から受信する。第二動作指示情報受信部６０３は、モデムやネットワーク等の受信を行うための受信デバイスを含んでもよく、あるいは含まなくてもよい。また、第二動作指示情報受信部６０３は、ハードウェアによって実現されてもよく、あるいは受信デバイスを駆動するドライバ等のソフトウェアによって実現されてもよい。第二動作指示情報受信部６０３は、ＬＡＮ等の通信手段、赤外線による通信、ブルートゥース（登録商標）等の近距離無線通信手段、或いは電子メール送信手段等により実現される。また、無線または有線の放送手段により実現してもよい。
【００７２】
つぎに、本実施の形態に係る電子機器システムの第一の電子機器５００の動作について、図９のフローチャートを用いて説明する。なお、ここでは説明を省略するが、第一の電子機器５００の第一動作部１０１において行われる、コンテンツの再生や、コンテンツを認識したりする等の、コンテンツを処理する動作については、本フローチャートに示した処理とは別に、例えば並列して行われ、コンテンツが予め指定されたところまで再生された場合や、コンテンツの処理を停止するコマンドや、電源オフや処理終了の割り込みにより、終了するものとする。
【００７３】
（ステップＳ９０１）第一操作情報受信部５０３は、操作情報を受信したか否かを判定する。受信した場合、ステップＳ９０２へ進み、受信していない場合、ステップＳ９０３へ進む。
【００７４】
（ステップＳ９０２）第一操作情報受信部５０３は、受信した操作情報を、第一操作情報格納部５０４に格納する。そして、ステップＳ９０３へ進む。
【００７５】
（ステップＳ９０３）第一コンテンツ情報取得部１０２は、第一動作部１０１がコンテンツを処理する動作を開始したか否かを判定する。動作を開始した場合、ステップＳ９０４へ進み、開始していない場合、ステップＳ９０１へ戻る。この処理は図２のステップＳ２０１と同様の処理である。
【００７６】
（ステップＳ９０４）第一コンテンツ情報取得部１０２は、第一動作部１０１が処理するコンテンツのコンテンツ情報を、第一動作部１０１から取得する。たとえば、第一動作部１０１が読み出したコンテンツのデータに含まれるコンテンツ情報を取得する。
【００７７】
（ステップＳ９０５）第一動作指示情報取得部５０１は、第一操作情報格納部５０４に格納された操作情報に基づいて、ステップＳ９０４において受信したコンテンツ情報に対応した動作指示情報を取得する。なお、この処理の具体例については、図１０において詳細に説明する。
【００７８】
（ステップＳ９０６）第一動作指示情報取得部５０１は、動作指示情報を取得できたか否かを判定する。取得できた場合、ステップＳ９０７へ進み、取得できなかった場合、ステップＳ９０１に戻る。
【００７９】
（ステップＳ９０７）第一動作指示情報送信部５０２は、ステップＳ９０６で取得した動作指示情報を、第二の電子機器６００に送信する。そして、ステップステップＳ９０１に戻る。
【００８０】
なお、図９のフローチャートにおいて、電源オフや処理終了の割り込みにより、処理は終了する。
【００８１】
次に、図９のステップＳ９０５において説明した、コンテンツ情報に応じた動作指示情報を取得する処理の詳細について、図１０のフローチャートを用いて説明する。
【００８２】
（ステップＳ１００１）第一動作指示情報取得部５０１は、ステップＳ９０４において取得したコンテンツ情報を、第一コンテンツ情報取得部１０２から取得する。
【００８３】
（ステップＳ１００２）第一動作指示情報取得部５０１は、ステップＳ９０４において取得したコンテンツ情報と合致するコンテンツ情報を含む操作情報が、第一操作情報格納部５０４に格納されているか否かを判定する。格納されている場合、ステップＳ１００３へ進み、格納されていない場合、ステップＳ１００４へ進む。
【００８４】
（ステップＳ１００３）第一動作指示情報取得部５０１は、ステップＳ９０４において取得したコンテンツ情報に合致するコンテンツ情報を含む操作情報に含まれている動作指示情報を第一操作情報格納部５０４から取得する。そして取得した動作指示情報を上位関数にリターンする。
【００８５】
（ステップＳ１００４）第一動作指示情報取得部５０１は、コンテンツ情報に対応した動作指示情報がないことを示す値、たとえば「−１」等を、メモリ等から取得し、上位関数にリターンする。
【００８６】
次に、本実施の形態に係る電子機器システムの第二の電子機器２００の動作について、図１１のフローチャートを用いて説明する。
【００８７】
（ステップＳ１１０１）第二操作情報送信部６０２は、第二操作情報格納部６０１から操作情報を取得し、取得した操作情報を第一の電子機器１００に送信する。上述したように、第二操作情報送信部６０２が、操作情報を取得し、送信するトリガーやタイミングは問わない。例えば、第一の電子機器５００と第二の電子機器６００とが接続された接続された場合に操作情報を取得し、送信する。なお、この送信は、送信相手を第一の電子機器１００に特定した一対一の送信であってもよいし、一対多のマルチキャストの送信であってもよいし、送信相手を特定しないブロードキャストによる送信であってもよい。
【００８８】
（ステップＳ１１０２）第二動作指示情報受信部６０３が、第一の電子機器１００からの動作指示情報を受信したか否かを判定する。受信した場合、ステップＳ１１０３へ進み、受信していない場合、ステップＳ１１０２に戻る。
【００８９】
（ステップＳ１１０３）第二制御部２０２は、第二動作指示情報受信部６０３が取得した動作指示情報に基づいて、第二動作部２０１の動作を制御する。
【００９０】
（ステップＳ１１０４）第二動作部２０１は所定の動作を行う。そして、ステップＳ１１０２へ戻る。
【００９１】
なお、図１１のフローチャートにおいて、電源オフや処理終了の割り込みにより、処理は終了する。
【００９２】
つぎに具体例について説明する。本実施の形態に係る電子機器システムの概念図は、図５に示した具体例において、第一の電子機器１００の代わりに第一の電子機器５００を設け、第二の電子機器２００の代わりに第二の電子機器６００を設けるようにしたものである。また、図５と同様に、第一の電子機器５００が映像音声情報を記録再生可能なＤＶＤレコーダー、第二の電子機器６００が、明るさを「明るい」と「暗い」の２段階に調整可能な照明器具であるものとする。これ以外の構成等については、前記実施の形態１において説明した具体例と同様であるものとする。
【００９３】
図１２は、第二の電子機器２００の第二操作情報格納部６０１に格納されている操作情報のデータの構成を示す図である。ここでは、一以上の操作情報が一つのファイルに格納されているものとする。このデータにおいて、「アイテム」という開始タグ（＜＞で囲まれたもの）と終了タグ（＜／＞で囲まれたもの）とに挟まれた情報が、一つの操作情報に相当する。以下、このような開始タグと終了タグとに挟まれた情報をエレメントと称す。また、「コマンド」というエレメントは、第二の電子機器２００に対して与えられる指示であり、動作指示情報に相当する。このコマンドとしては、照明をオフにする「ｌｉｇｈｔ＿ＯＦＦ」というコマンド、明るさを「明るい」とする「ｌｉｇｈｔ＿ＨＩＧＨ」というコマンド、明るさを「暗い」とする「ｌｉｇｈｔ＿ＬＯＷ」というコマンド等があるものとする。「コンテンツ情報」というエレメントは、動作指示情報と対応づけられたコンテンツ情報を示している。本具体例においては、前記実施の形態１の具体例と同様に、「映画」、「音楽」、「アニメーション」等のコンテンツ情報があるものとする。また、「機器アドレス」というエレメントは、アクションの実行対象となる機器のアドレスを示す情報であり、ここでは、例として第二の電子機器６００のＩＰアドレスである「１９２．１６８．４．２１」が設定されているものとする。
【００９４】
まず、第二の電子機器６００がネットワーク３００を介して第一の電子機器５００に接続されると、第二の電子機器２００が、第一の電子機器１００との接続を認識し、第二操作情報格納部６０１が格納している図１２に示すような操作情報を、第二の電子機器２００に対して出力する。なお、電子機器間で接続を認識したりする構成や処理は、公知技術であるので、ここでは説明を省略する。
【００９５】
第一の電子機器５００は、図１２に示すような、第二の電子機器６００から送信された操作情報を受信し、これを第一操作情報格納部５０４に蓄積する。
【００９６】
つぎに、ユーザが、第一の電子機器５００に、映画を収録したＤＶＤディスクを挿入する。このＤＶＤディスクの所定の領域には、「映画」というコンテンツ情報が格納されているものとする。そして、ユーザが、リモートコントロール装置等を操作して、「再生」というメニュー項目を選択すると、まず、第一動作部１０１が、ＤＶＤディスクの「映画」というコンテンツ情報を読み出す。そして、この読み出された「映画」というコンテンツ情報を、第一コンテンツ情報取得部１０２が取得する。
【００９７】
第一動作指示情報取得部５０１は、第一コンテンツ情報取得部１０２が取得した「映画」というコンテンツ情報に一致するコンテンツ情報を含む操作情報を検索する。具体的には、図１２に示す操作情報において、「コンテンツ情報」というタグを探し、そのエレメントが「映画」であるか判定する。そして、「映画」であれば、その操作情報内、すなわち同じ「アイテム」タグ間に含まれる「コマンド」エレメントを、コンテンツ情報に対応する動作指示情報として取得する。「映画」でなければ、次の「コンテンツ情報」というタグを探す処理以降の同様の処理を繰り返す。ここでは、「コンテンツ情報」エレメントが「映画」であるものがあるため、このタグを含む「アイテム」タグ間の「ｌｉｇｈｔ＿ＯＦＦ」というコマンドを、第一動作指示情報取得部５０１は、動作指示情報として取得する。
【００９８】
そして、この取得した動作指示情報を、第一動作指示情報送信部５０２が第二の電子機器６００に送信する。具体的には、「コンテンツ情報」が「映画」である「アイテム」タグ間の「機器アドレス」エレメント、ここでは「１９２．１６８．４．２１」を取得し、このＩＰアドレスに対して動作指示情報を送信する。
【００９９】
第二の電子機器６００は、「ｌｉｇｈｔ＿ＯＦＦ」という動作指示情報を受信すると、この動作指示に基づいて、第二動作部２０１を制御する。この結果、第二の電子機器６００において、照明をオフにする動作が行われる。
【０１００】
以上、本実施の形態によれば、第一の電子機器５００の処理するコンテンツに応じて、第二の電子機器６００の動作を制御することが可能となる。これにより、ユーザが個々の電子機器を個別に操作しなくても、第一の電子機器５００にコンテンツの処理を行わせるだけで、個々の電子機器に、第一の電子機器６００の処理するコンテンツに最適な動作を行わせることができ、操作性を向上させることが可能となる。この結果、コンテンツを視聴したりする場合に、コンテンツに応じた最適な環境をユーザに提供することが可能となる。
【０１０１】
また、第二の電子機器６００においては、コンテンツ情報から動作指示情報を取得する処理等が不要となるため、高性能なプロセッサ等を用いる必要をなくすことができ、装置を簡略化することが可能となる。
【０１０２】
なお、本実施の形態においては、第一の電子機器５００の第一操作情報格納部５０４に、あらかじめ第二の電子機器６００の操作情報を格納しておくようにしてもよい。このようにすることで、第一の電子機器５００と第二の電子機器６００との間で、操作情報を送受信するための構成が不要となり、電子機器システムの構成を簡略化することが可能となる。
【０１０３】
なお、前記各実施の形態において、各処理（各機能）は、単一の装置（システム）によって集中処理されることによって実現されてもよく、あるいは、複数の装置によって分散処理されることによって実現されてもよい。
【０１０４】
また、前記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１０５】
なお、前記実施の形態における電子機器システムの第一の電子機器を実現するソフトウェアは、以下のようなプログラムである。つまり、このプログラムは、コンピュータに、コンテンツを処理する第一動作ステップと、前記第一動作ステップにより処理する対象となるコンテンツに関する情報であるコンテンツ情報を取得する第一動作情報取得ステップと、前記コンテンツ情報に対応した、他の電子機器に動作を指示するための情報である動作指示情報を取得する第一動作指示情報取得ステップと、前記動作指示情報を前記他の電子機器に送信する第一動作指示情報送信ステップとを実行させるためのプログラムである。
【０１０６】
なお、前記各実施の形態において説明した各プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１０７】
また、これらプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【０１０８】
また、これらプログラムを実行するコンピュータは、単数であってもよく、複数であってもよい。すなわち、集中処理を行ってもよく、あるいは分散処理を行ってもよい。
【０１０９】
また、本発明は、以上の実施の形態に限定されることなく、種々の変更が可能であり、それらも本発明の範囲内に包含されるものであることは言うまでもない。
【産業上の利用可能性】
【０１１０】
本発明は、複数の電子機器を備えた電子機器システムとして有用であり、特に、ネットワーク等を介して接続されるＡＶ機器や家電等の電子機器により構成される電子機器システムとして最適である。
【図面の簡単な説明】
【０１１１】
【図１】本発明の実施の形態１による電子機器システムの構成を示すブロック図
【図２】同電子機器システムの動作を示すフローチャート
【図３】同電子機器システムの動作を示すフローチャート
【図４】同電子機器システムの動作を示すフローチャート
【図５】同電子機器システムの概念図
【図６】同電子機器システムの動作指示情報管理表を示す図
【図７】同電子機器システムのコンテンツ情報管理表を示す図
【図８】本発明の実施の形態２による電子機器システムの構成を示すブロック図
【図９】同電子機器システムの動作を示すフローチャート
【図１０】同電子機器システムの動作を示すフローチャート
【図１１】同電子機器システムの動作を示すフローチャート
【図１２】同電子機器システムの操作情報の構成を示す図
【符号の説明】
【０１１２】
１００  第一の電子機器
１０１  第一動作部
１０２  第一コンテンツ情報取得部
１０３  第一コンテンツ情報送信部
２００  第二の電子機器
２０１  第二動作部
２０２  第二制御部
２０３  第二コンテンツ情報受信部
２０４  第二動作指示情報格納部
２０５  第二動作指示情報取得部
３００  ネットワーク
４００  ディスプレイ
５００  第一の電子機器
５０１  第一動作指示情報取得部
５０２  第一動作指示情報送信部
５０３  第一操作情報受信部
５０４  第一操作情報格納部
６００  第二の電子機器
６０１  第二操作情報格納部
６０２  第二操作情報送信部
６０３  第二動作指示情報受信部
【図１】
2006323461.tif 000003
【図２】
2006323461.tif 000004
【図３】
2006323461.tif 000005
【図４】
2006323461.tif 000006
【図５】
2006323461.tif 000007
【図６】
2006323461.tif 000008
【図７】
2006323461.tif 000009
【図８】
2006323461.tif 000010
【図９】
2006323461.tif 000011
【図１０】
2006323461.tif 000012
【図１１】
2006323461.tif 000013
【図１２】
2006323461.tif 000014